(57)【要約】【課題】端面だけでなく周面も保護できるロール製品用プロテクタ及びこのロール製品用プロテクタを用いたロール製品の保護構造を提供する。【解決手段】裏面で前記ロール製品Ｒの端面を押さえる方形の基板部２と、前記ロール製品Ｒの中空芯部Ｒ２の中空孔Ｒ３に挿入可能に前記基板部の裏面中央に突設したロール製品支持用円筒部３と、前記基板部３の裏面四角に突設した組み付け部４とを具備してなる硬質合成樹脂成形体であって、前記基板部２の各辺長が前記ロール製品Ｒの外径よりも長くされるとともに、前記組み付け部４の長さが前記円筒部３の全長よりも長くされており、４本の組み付け部４のうち、一の対角線上の２本の先端には係合凸部４ａが設けられるとともに、他の対角線上の２本の先端には該係合凸部４ａと係合可能な係合凹部４ｂが設けられている。【選択図】図６
0003132186.tif 000002
【実用新案登録請求の範囲】
【請求項１】
帯状製品を中空芯部に巻回してなるロール製品を輸送・保管するためのプロテクタにおいて、裏面で前記ロール製品の端面を押さえる基板部と、前記ロール製品の中空芯部の中空孔に挿入可能に前記基板部の裏面中央に突設したロール製品支持用円筒部と、前記基板部の裏面四角に突設した組み付け部とを具備してなる硬質合成樹脂成形体であって、前記基板部の各辺長が前記ロール製品の外径よりも長くされるとともに、前記組み付け部の長さが前記円筒部の全長よりも長くされており、４本の組み付け部のうち、一の対角線上の２本の先端には係合凸部が設けられるとともに、他の対角線上の２本の先端には該係合凸部と係合可能な係合凹部が設けられていることを特徴とするロール製品用プロテクタ。
【請求項２】
組み付け部の長さが異なる複数のロール製品用プロテクタの中から２個のロール製品用プロテクタがロール製品の長さに応じて選択され、それぞれの組み付け部先端に設けられた係合凹部及び係合凸部が係合されることにより組み付けられていることを特徴とする請求項１に記載のロール製品用プロテクタ。
【請求項３】
円筒部内周に複数個の補強リブを軸方向に設けた請求項１又は請求項２に記載のロール製品用プロテクタ。
【請求項４】
基板部の各側面に梱包用バンド溝を設けた請求項１乃至請求項３に記載ロール製品用プロテクタ。
【請求項５】
請求項１乃至請求項４に記載のロール製品用プロテクタ２個のそれぞれのロール製品支持用円筒部がロール製品の中空芯部の両端に挿入されるとともに、それぞれの組み付け部の先端に設けられた係合凹部及び係合凸部が係合されてなることを特徴とするロール製品の保護構造。
【請求項６】
組み付け部の長さが異なる複数のロール製品用プロテクタの中から２個のロール製品用プロテクタがロール製品の長さに応じて選択されることを特徴とする請求項５に記載のロール製品の保護構造。
【考案の詳細な説明】
【技術分野】
【０００１】
本考案は、帯状製品を中空芯部に巻回してなるロール製品を輸送・保管するためのロール製品用プロテクタ及びこのロール製品用プロテクタを用いたロール製品の保護構造に関し、更に詳しくは、対向するプロテクタの組み付け部を係合させてロール製品の外周に配置することにより、端面だけでなく周面も保護できるロール製品用プロテクタ及びこのロール製品用プロテクタを用いたロール製品の保護構造に関する。
【背景技術】
【０００２】
従来より、プラスチックフィルム、プラスチックシート、紙等の帯状製品を輸送・保管する場合には、図１２に示すように、これらの帯状製品Ｒ１を中空芯部Ｒ２に巻回してロール製品Ｒを形成し、輸送・保管中に帯状製品Ｒが側方に竹の子状に滑り出すのを防止するため、ロール製品ＲにプロテクタＰを組み付けて輸送・保管していた。
このプロテクタＰは、方形のベニヤ板製側板Ｐ１の中央に設けた軸孔に合成樹脂製のＴ字形の頭付支軸Ｐ２を挿通してなるもので、ロール製品Ｒの両端面を一対の側板Ｐ１で挟持するとともに、頭付支軸Ｐ２を中空芯部Ｒ２の中空孔Ｒ３に挿入してロール製品Ｒを支持し、必要に応じ、両側板Ｒ１の外側に梱包用バンドＢを十字状に掛けて全体を緊締している。
【０００３】
また、裏面で前記ロール製品の端面を押さえる方形の基板部と、前記ロール製品の中空心部の中空孔に挿入可能に前記基板部の裏面中央に突設したロール製品支持用円筒部と、前記基板部の裏面四角に突設した段積み用脚部と、該脚部の先端を挿入可能に前記基板部の表面四角に設けた段積み用凹部とを具備してなる硬質合成樹脂成形体であって、前記基板部の各辺長を前記ロール製品の外径よりも長くするとともに、前記脚部の脚長を前記円筒部の全長よりも長くしたことを特徴とするロール製品用プロテクターが提案されている（例えば、特許文献１参照）。
【特許文献１】実用新案登録第２６０４９０７号公報（図３、図４、図５）
【考案の開示】
【考案が解決しようとする課題】
【０００４】
しかし、上記従来のプロテクタＰによれば、プロテクタＰをロール製品Ｒに組み付ける作業が繁雑であり、また、側板Ｐ１のベニヤ板は耐久性に乏しいため破損しやすく、さらに、前記側板Ｐ１はロール製品Ｒの端面だけを覆い、周面を全く覆わないので、輸送・保管の際に他の物などが周面に接触したり衝突したりすると、帯状製品Ｒ１の周面が汚染したり破損し、商品価値を著しく減ずるなどの問題がある。
また、側板Ｐ１はロール製品Ｒの両端面のみに存在し、その中間部にはプロテクタが全く存在しないため、ロール製品Ｒの長さ（幅）方向に力が加わるとロール製品Ｒに直接伝わり、帯状製品Ｒ１の端面が側板Ｐ１に押し付けられ、ロール製品Ｒの端面を損傷することになる。
【０００５】
また、特許文献１に記載のロール製品用プロテクタは、上記プロテクタＰの問題をある程度解消するものの、帯状製品Ｒ１の周面については、両端部付近のみが段積み用脚部によって保護されるに過ぎず、段積み用脚部と段積み用脚部との中間部は全く保護されない状態となる。かくして、輸送・保管中に他の物と接触したり衝突したりすると、やはり帯状製品Ｒ１の周面が汚染したり破損することが避けられない。
更に、このプロテクタの場合も、段積み用脚部を含めたとしてもロール製品Ｒの両端部付近にあり、中間部にはプロテクタが存在しないため、上記のプロテクタＰと同様、ロール製品Ｒの長さ（幅）方向に力が加わるとロール製品Ｒに直接伝達されるので、帯状製品Ｒ１の端面が基板部の裏面に強く押し付けられ、その結果、ロール製品Ｒの端面が損傷する虞れがある。
本考案は、従来のプロテクタを改良して、上述のような問題点を取除くことを目的とする。
【課題を解決するための手段】
【０００６】
上記目的を達成するための本考案の請求項１に係る考案は、帯状製品を中空芯部に巻回してなるロール製品を輸送・保管するためのプロテクタにおいて、裏面で前記ロール製品の端面を押さえる基板部と、前記ロール製品の中空芯部の中空孔に挿入可能に前記基板部の裏面中央に突設したロール製品支持用円筒部と、前記基板部の裏面四角に突設した組み付け部とを具備してなる硬質合成樹脂成形体であって、前記基板部の各辺長が前記ロール製品の外径よりも長くされるとともに、前記組み付け部の長さが前記円筒部の全長よりも長くされており、４本の組み付け部のうち、一の対角線上の２本の先端には係合凸部が設けられるとともに、他の対角線上の２本の先端には該係合凸部と係合可能な係合凹部が設けられていることを特徴とするロール製品用プロテクタを内容とする。
【０００７】
本考案の請求項２に係る考案は、組み付け部の長さが異なる複数のロール製品用プロテクタの中から２個のロール製品用プロテクタがロール製品の長さに応じて選択され、それぞれの組み付け部先端に設けられた係合凹部及び係合凸部が係合されることにより組み付けられていることを特徴とする請求項１に記載のロール製品用プロテクタを内容とする。
【０００８】
本考案の請求項３に係る考案は、円筒部内周に複数個の補強リブを軸方向に設けた請求項１又は請求項２に記載のロール製品用プロテクタを内容とする。
【０００９】
本考案の請求項４に係る考案は、基板部の各側面に梱包用バンド溝を設けた請求項１乃至請求項３に記載ロール製品用プロテクタを内容とする。
【００１０】
本考案の請求項５に係る考案は、請求項１乃至請求項４に記載のロール製品用プロテクタ２個のそれぞれのロール製品支持用円筒部がロール製品の中空芯部の両端に挿入されるとともに、それぞれの組み付け部の先端に設けられた係合凹部及び係合凸部が係合されてなることを特徴とするロール製品の保護構造を内容とする。
【００１１】
本考案の請求項６に係る考案は、組み付け部の長さが異なる複数のロール製品用プロテクタの中から２個のロール製品用プロテクタがロール製品の長さに応じて選択されることを特徴とする請求項５に記載のロール製品の保護構造を内容とする。
【考案の効果】
【００１２】
本考案のロール製品用プロテクタは、基板部の裏面四角に突設された組み付け部のうち、一の対角線上の２本の先端には係合凸部が設けられるとともに、他の対角線上の２本の先端には前記係合凸部と係合可能な係合凹部が設けられているため、このロール製品用プロテクタの円筒部をロール製品両端の中空孔に挿入するとともに、組み付け部先端の係合凸部と係合凹部を係合させることにより、ロール製品は基板部と組み付け部に周囲を囲まれた保護構造内に収容された状態となり、ロール製品の端面は基板部により保護され、周面は係合された組み付け部により全長（全幅）に亘って保護されるので、保護構造内のロール製品に他の物などが接触したり衝突したりすることもなく、従って、帯状製品は汚染したり破損したりしないので、優れた商品価値が保たれる。
【００１３】
また、ロール製品の長さ（幅）方向に力が加わったとしても、ロール製品の全長（全幅）に亘って組み付け部が存在するのでロール製品には力が加わることはなく、従って、ロール製品が基板部裏面に押し付けられてその端面が損傷するようなトラブルが防止される。
【００１４】
組み付け部の長さが異なる複数のロール製品用プロテクタを用意すれば、その中の二つを選択し、それぞれの組み付け部先端の係合凹部と係合凸部を係合させることにより、選択したロール製品用プロテクタによって係合された組み付け部の全長が種々変化する。そのため、ロール製品の長さ（幅）に応じて適当なロール製品用プロテクタを選択することにより、多様な長さのロール製品を少ない種類のロール製品用プロテクタで保護することができる。
【００１５】
円筒部内周に複数個の補強リブを軸方向に設ければ、ロール製品用プロテクタの強度や耐久性を増すことができ、使用中に円筒部が破損する危険性がなく、また、より巻き径が大きく荷重の大きいロール製品を保護することができる。
【００１６】
基板部の各側面に梱包用バンド溝を設ければ、このバンド溝にバンドを通して保護構造全体を緊縛することにより、バンドが横ズレして保護構造から外れるような危険がなくなるため、輸送や保管中の荷崩れを防止することができる。
【考案を実施するための最良の形態】
【００１７】
以下、本考案を好ましい実施例を示す図面に基づいて説明するが、本考案はかかる実施例のみに限定されないことは云うまでもない。
【００１８】
図１〜図３は、本考案の一実施例を示すもので、図１は正面図、図２は背面図、図３は右側面図である。
本考案はのロール製品用プロテクタ１は、図１乃至図３に示すように、裏面で前記ロール製品Ｒの端面を押さえる基板部２と、前記ロール製品Ｒの中空芯部Ｒ２の中空孔Ｒ３に挿入可能に前記基板部２の裏面中央に突設したロール製品支持用円筒部３と、前記基板部２の裏面四角に突設した組み付け部４とを具備してなる硬質合成樹脂成形体であって、前記基板部２の各辺長が前記ロール製品Ｒの外径よりも長くされるとともに、前記組み付け部４の長さが前記円筒部３の全長よりも長くされており、４本の組み付け部４のうち、一の対角線上の２本の先端には係合凸部４ａが設けられるとともに、他の対角線上の２本の先端には該係合凸部４ａと係合可能な係合凹部４ｂが設けられていることを特徴とする。
【００１９】
基板部２の形状は特に限定されず、方形、６角形、８角形等の多角形などが挙げられるが、方形の板状体として各辺の長さがロール製品Ｒの外径よりも長いため、基板部２をロール製品Ｒの端部に組み付けたときにロール製品Ｒの周縁部が基板部２からはみ出すことがなく、従って、ロール製品Ｒが床面や梱包容器底面等に接触して汚損することがなく、不用意に転がることもないので好ましい。特に、ロール製品Ｒの端面の保護に寄与しない部分を最小にするために、一辺の長さがロール製品Ｒの外径より長い正方形状とするのが最も好ましい。
基板部２の表面形状については特に限定されないが、ロール製品用プロテクタ１を軽量化しつつ強度を保つため、例えば図１に示すように、補強リブ２ｂを設けるほうが好ましい。
基板部２の裏面形状についても特に限定されないが、例えば図２に示すように、ロール製品Ｒの端面を平面状に保つために平坦であるほうが好ましい。
【００２０】
本考案においては、基板部２の周縁部の外側面にバンド溝２ａを設けることもできる。バンド溝２ａを設けると、例えば図６（ｂ）に示すように、このバンド溝２ａにバンドＢを通して保護構造５全体を縛ることにより、バンドＢが横ズレして保護構造５から外れるような危険がなくなり、輸送や保管中の荷崩れを防止することができる。
バンド溝２ａは対向する１対の辺だけに設けることもできるが、バンドＢを十字状に掛けるほうが、保護構造５全体を硬く縛ることができるため、基板部２の各側面にそれぞれバンド溝２ａを設けるほうが好ましい。
なお、図１に示す例では、各辺ごとにそれぞれ２箇所ずつバンド溝２ａが設けられている。
【００２１】
円筒部３は、例えば図１及び図４に示すように、基板部２の裏面中央から突設された筒状体であり、ロール製品Ｒの中空芯部Ｒ２の中空孔Ｒ３に挿入できるように形成されている。
上記の他は特に限定されないが、例えば本考案においては、円筒部３の内周に複数個の補強リブ３ａを軸方向に設けることもできる。この補強リブ３ａを設けることにより、ロール製品用プロテクタ１の強度、耐久性を増すことができ、使用中に円筒部３が破損する危険性がなくなるとともに、巻き径が大きく荷重が大きいロール製品Ｒを適切に保護することができる。
【００２２】
組み付け部４は、例えば図２及び図５に示すように、基板部２の裏面四角から突設されており、４本の組み付け部のうち、一の対角線上の２本の先端には係合凸部４ａが設けられるとともに、他の対角線上の２本の先端には前記係合凸部４ａと係合可能な係合凹部４ｂが設けられている。従って、相対するロール製品用プロテクタ１を互いに９０°回転させることにより、対向するロール製品用プロテクタ１の係合凸部４ａと係合凹部４ｂが当接し、例えば図７に示すように係合して、保護構造５を形成することができる。また、１種のプロテクタを製造すればよいので、金型代等製造コストが低くなり経済的である。
【００２３】
組み付け部４の形状は特に限定されず、円筒状、角筒状などが選択できるが、例えば図３に示すような三角筒状である場合には基板部２の中央部に八角形状の平面が形成され、円筒状や角筒状の場合に比べ、大きい巻き径のロール製品Ｒに適用でき、プロテクタの収納、保護効率を高めることができる。
【００２４】
組み付け部４の長さについては、組み付け部４は円筒部３よりも長い限り、特に限定されず、収容するロール製品の長さに応じて適宜定めることができる。
なお、組み付け部４が円筒部３よりも短ければ、ロール製品用プロテクタ１の裏面同士を対向させて係合凸部４ａと係合凹部４ｂを係合させようとしても円筒部３の先端同士が衝突してしまい、また、使用しないロール製品用プロテクタ１を重ねて収納時しようとしても、円筒部３が他のロール製品用プロテクタ１の表面と衝突してしまうため、ロール製品Ｒの輸送・保管や、使用していないロール製品用プロテクタ１の保存を好適に行うことができなくなる。
【００２５】
また、組み付け部４の長さが異なる複数のロール製品用プロテクタ１を用意すれば、その中の二つを選択し、それぞれの組み付け部４先端の係合凹部４ａと係合凸部４ｂを係合させることにより、係合された組み付け部４ｂの全長を種々変化させることができる。例えば、組み付け部４の長さが５ｃｍ、１０ｃｍ、２０ｃｍの３種類のロール製品用プロテクタ１を用意すれば、これらを二つ組み合わせて１０ｃｍ、１５ｃｍ、２０ｃｍ、２５ｃｍ、３０ｃｍ、４０ｃｍの６種類の長さ（幅）の異なるロール製品Ｒに対して使用でき、同様に、４種類のロール製品用プロテクタ１を用意すれば、１０種類の長さの異なるロール製品Ｒに対して使用できる。このように、ロール製品Ｒの長さに応じて適当なロール製品用プロテクタを選択することにより、様々な長さのロール製品Ｒを少ない種類のロール製品用プロテクタで保護することができる。
なお、ロール製品Ｒの長さに見合ったロール製品用プロテクタ１の組み合わせが存在しない場合には、係合された組み付け部４，４の長さがロール製品の長さよりも僅かに長くなる組み合わせを選択するとともに、例えば図６に示すように、ロール製品Ｒと基板部２の間に適当な厚さのクッション材６を介在させることにより調節することができる。
【００２６】
本考案のロール製品用プロテクタ１を構成する硬質合成樹脂としては十分な強度を有する限り特に限定されないが、ＡＢＳ、ＡＡＳ、ＡＥＳ、ＡＳ、ＰＳ、ＰＭＭＡ、ＰＶＣ、ＰＡ、ＰＰ、ＰＥ、ＰＢＴ、ＰＥＴなどが例示できる。
【００２７】
以上に詳述したロール製品用プロテクタ１は、図６に示すように、プラスチックフィルム、プラスチックシート、紙等の帯状製品Ｒ１を中空芯部Ｒ２に巻回してなるロール製品Ｒの両端から中空孔Ｒ３に円筒部３を挿入すると共に、対向するロール製品用プロテクタ１，１の組み付け部４先端の係合凸部４ａ及び係合凹部４ｂを係合させて使用する。また上記したように、必要に応じ、ロール製品Ｒとプロテクタ１の間にクッション材６を介在させてもよく、さらに任意の本数のバンドＢで全体を緊縛してもよい。なお、図６において、ロール製品Ｒは、帯状製品Ｒ１、中空芯部Ｒ２、中空孔Ｒ３を明示するため、中央部で切断した断面を記載している。
【００２８】
上記の如きロール製品用プロテクタによれば、基板部２がロール製品Ｒの端面を保護することにより、帯状製品Ｒ１が輸送・保管中に側方に竹の子状に滑り出すのを防止するとともに、帯状製品Ｒ１が床面や梱包容器底面に接触して汚損するのを防止し、さらに組み付け部４がロール製品Ｒの全長に亘って周面を保護して帯状製品Ｒ１の破損を防止することができる。
更に、ロール製品の長さ（幅）方向に力が加わったとしても、ロール製品の全長（全幅）に亘って組み付け部が存在するのでロール製品に力が加わることはなく、従って、ロール製品が基板部裏面に押し付けられて損傷するようなトラブルが防止される。
【００２９】
なお、本考案は上記の実施例に限定されず、本考案の目的を妨げない範囲で変更して使用することができる。
例えば他の実施例として、図３に記載された組み付け部４の長さ（３１ｍｍ）と比較して、組み付け部４の長さが約２倍（５９ｍｍ）とされたロール製品用プロテクタ１（図７参照）や、同じく約３倍（８５ｍｍ）とされたロール製品用プロテクタ１（図８参照）が例示できる。さらに、図３及び図７に記載されたロール製品用プロテクタ１が組み合わされ、９０ｍｍまでの長さ（幅）のロール製品Ｒの保護に適したプロテクタ及びこれを用いたロール製品の保護構造５（図９参照）及び、図７及び図８に記載されたロール製品用プロテクタ１が組み合わされ、１４４ｍｍまでの長さ（幅）のロール製品Ｒの保護に適したプロテクタ及びこれを用いたロール製品の保護構造５（図１０参照）が例示できる。更にまた、上記した３種のロール製品用プロテクタ１を組み合わせて使用することにより、図示しないが、６２ｍｍ〜１７０ｍｍまでの長さ（幅）の異なる計６種類のロール製品Ｒの収納に適したプロテクタ及びこれを用いたロール製品の保護構造５を得ることができる。
このように、比較的少ない数種のロール製品用プロテクタ１を予め用意することにより、多くの種類の長さ（幅）のロール製品Ｒに適用し保護することができる。
【００３０】
更に他の実施例として、円筒部３の内周に６本の補強リブ３ａが軸方向に設けられたロール製品用プロテクタ１（図１１参照）を例示できる。このようにすると円筒部３が強化され破損しにくくなるため、より確実にロール製品Ｒを保護することができるばかりでなく、巻き径の大きい荷重の大きいロール製品Ｒに適用し保護することが可能となる。
【産業上の利用可能性】
【００３１】
叙上のとおり、本考案のロール製品用プロテクタ及びこのロール製品用プロテクタを用いたロール製品の保護構造は、ロール製品の端面のみならず周面も保護できるため、ロール製品に巻回された帯状製品を汚染や破損から確実に保護し、その優れた商品価値を維持することができ、その有用性は頗る大である。
【図面の簡単な説明】
【００３２】
【図１】本考案のプロテクタの実施例を示す正面図である。
【図２】図１の背面図である。
【図３】図１の右側面図である。
【図４】図２のＡ−Ａ断面図である。
【図５】図２のＢ−Ｂ断面図である。
【図６】（ａ）は本考案によるプロテクタの使用方法を示す概略説明図、（ｂ）は本考案によるロール製品の保護構造を示す概略説明図である。
【図７】本考案のプロテクタの他の実施例を示す正面図である。
【図８】本考案のプロテクタの他の実施例を示す正面図である。
【図９】本考案によるロール製品の保護構造の他の実施例を示す概略説明図である。
【図１０】本考案によるロール製品の保護構造の他の実施例を示す概略説明図である。
【図１１】本考案のプロテクタの更に他の実施例を示す概略断面図である。
【図１２】従来のプロテクタを示す概略説明図である。
【符号の説明】
【００３３】
１  プロテクタ
２  基板部
２ａ  バンド溝
２ｂ  補強リブ
３  ロール製品支持用円筒部
３ａ  補強リブ
４  組み付け部
４ａ  係合凸部
４ｂ  係合凹部
５  保護構造
６  クッション材
Ｒ  ロール製品
Ｒ１  帯状製品
Ｒ２  中空芯部
Ｒ３  中空孔
Ｐ  従来のプロテクタ
Ｐ１  側板
Ｐ２  頭付支軸
Ｂ  バンド
【図１】
0003132186.tif 000003
【図２】
0003132186.tif 000004
【図３】
0003132186.tif 000005
【図４】
0003132186.tif 000006
【図５】
0003132186.tif 000007
【図６】
0003132186.tif 000008
【図７】
0003132186.tif 000009
【図８】
0003132186.tif 000010
【図９】
0003132186.tif 000011
【図１０】
0003132186.tif 000012
【図１１】
0003132186.tif 000013
【図１２】
0003132186.tif 000014